(57)【要約】【課題】この発明は、受信した音声ストリームの音声フォーマットを正しく認識して、受信した音声ストリームにその音声フォーマットに対応した形態のデコード処理を施すことができるようにし、十分に実用に適し得るようにした音声再生装置及び音声再生方法を提供することを目的としている。【解決手段】デコード手段（６３ｆ）のデコード処理形態が、受信しているデジタル音声信号の音声フォーマットに対応しているか否かを判別し、対応していないと判断された場合、デジタル音声信号とともに受信した管理情報に含まれる音声フォーマットを示す情報（Ｐｃ）に基づいて、受信しているデジタル音声信号の音声フォーマットに対応したデコード処理形態にデコード手段（６３ｆ）を制御する。【選択図】    図２
2009063752.tif 000002
【特許請求の範囲】
【請求項１】
所定の音声フォーマットでエンコード処理が施されたデジタル音声信号とその管理情報とを、特定のデジタル信号伝送規格に準拠した形態で受信する第１の受信手段と、
前記第１の受信手段で受信されたデジタル音声信号にデコード処理を施すもので、複数種類の音声フォーマットに対応したデコード処理形態の中から所定のデコード処理形態に選択設定可能なデコード手段と、
前記第１の受信手段で受信した管理情報に基づいて、当該管理情報とともに受信しているデジタル音声信号の音声フォーマットを示す情報を取得する取得手段と、
前記取得手段で取得した音声フォーマットを示す情報に基づいて、前記デコード手段に設定されているデコード処理形態が、前記第１の受信手段で受信しているデジタル音声信号の音声フォーマットに対応しているか否かを判別する判別手段と、
前記判別手段で前記デコード手段のデコード処理形態が受信しているデジタル音声信号の音声フォーマットに対応していないと判断された場合、前記取得手段で取得した音声フォーマットを示す情報に基づいて、前記第１の受信手段で受信しているデジタル音声信号の音声フォーマットに対応したデコード処理形態に、前記デコード手段を選択設定する制御手段とを具備することを特徴とする音声再生装置。
【請求項２】
前記制御手段は、前記第１の受信手段で受信しているデジタル音声信号の音声フォーマットが、前記デコード手段に用意された複数種類の音声フォーマットに対応したデコード処理形態のいずれにも対応しない場合、前記第１の受信手段で受信しているデジタル音声信号に対して音声ミュート処理を施すように制御することを特徴とする請求項１記載の音声再生装置。
【請求項３】
前記制御手段は、前記第１の受信手段で受信しているデジタル音声信号の音声フォーマットが、前記デコード手段に用意された複数種類の音声フォーマットに対応したデコード処理形態のいずれにも対応しない場合、エンコード処理が施されていないデジタル音声信号を受信する第２の受信手段で受信しているデジタル音声信号を音声再生させるように制御することを特徴とする請求項１記載の音声再生装置。
【請求項４】
前記制御手段は、前記第１の受信手段で受信しているデジタル音声信号の音声フォーマットが、前記デコード手段に用意された複数種類の音声フォーマットに対応したデコード処理形態のいずれにも対応しない場合、前記第１の受信手段で受信しているデジタル音声信号に対して音声ミュート処理を施すように制御することと、エンコード処理が施されていないデジタル音声信号を受信する第２の受信手段で受信しているデジタル音声信号を音声再生させるように制御することとを、選択的に切り替えて設定可能であることを特徴とする請求項１記載の音声再生装置。
【請求項５】
前記第１の受信手段で受信するデジタル音声信号とその管理情報とはＩＥＣ６１９３７で規定されるバーストデータであり、前記管理情報は前記バーストデータに含まれるプリアンブルデータであることを特徴とする請求項１記載の音声再生装置。
【請求項６】
前記特定のデジタル信号伝送規格はＨＤＭＩ規格であることを特徴とする請求項１記載の音声再生装置。
【請求項７】
所定の音声フォーマットでエンコード処理が施されたデジタル音声信号とその管理情報とを、特定のデジタル信号伝送規格に準拠した形態で受信する第１の工程と、
複数種類の音声フォーマットに対応したデコード処理形態の中から所定のデコード処理形態に選択設定可能なデコード手段により、前記第１の工程で受信されたデジタル音声信号にデコード処理を施す第２の工程と、
前記第１の工程で受信した管理情報に基づいて、当該管理情報とともに受信しているデジタル音声信号の音声フォーマットを示す情報を取得する第３の工程と、
前記第３の工程で取得した音声フォーマットを示す情報に基づいて、前記デコード手段に設定されているデコード処理形態が、前記第１の工程で受信したデジタル音声信号の音声フォーマットに対応しているか否かを判別する第４の工程と、
前記第４の工程で前記デコード手段のデコード処理形態が受信しているデジタル音声信号の音声フォーマットに対応していないと判断された場合、前記第３の工程で取得した音声フォーマットを示す情報に基づいて、前記第１の工程で受信したデジタル音声信号の音声フォーマットに対応したデコード処理形態に、前記デコード手段を選択設定する第５の工程とを具備することを特徴とする音声再生方法。
【発明の詳細な説明】
【技術分野】
【０００１】
この発明は、圧縮符号化された音声ストリームを受信してデコード処理を施す音声再生装置及び音声再生方法の改良に関する。
【背景技術】
【０００２】
周知のように、デジタル化された映像データを伝送するための規格として、ＤＶＩ（digital visual interface）規格が普及している。そして、近年では、このＤＶＩ規格をさらに改良したデジタル信号伝送規格として、ＨＤＭＩ（high definition multimedia interface）規格が採用されるようになってきている。
【０００３】
このＨＤＭＩ規格には、例えば、デジタル映像データのブランキング期間にデジタル音声データを多重化して音声伝送を行なうことが可能であること、デジタル映像データをＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
一方、近年においては、デジタルデータの記録媒体として、例えばＤＶＤ（digital versatile disk）等の光ディスクが普及している。そして、現在では、ＤＶＤよりもさらに高密度記録が可能な、いわゆるＨＤ（high definition）−ＤＶＤと称されるハイビジョン対応の次世代ＤＶＤ規格も完成している。
【０００５】
この種の光ディスクでは、映像や音声等のデータに圧縮符号化（エンコード）処理を施して記録している。このため、この光ディスクを再生する光ディスク再生装置では、光ディスクから読み取った圧縮映像や圧縮音声等のストリームに復号化（デコード）処理を施しアナログ化して出力することにより、外付けのモニタやスピーカによる映像表示や音声再生を行なえるようにしている。
【０００６】
また、このような光ディスク再生装置にあっては、デコード処理が施される前の圧縮符号化された音声ＥＳ（elementary stream）を、ＨＤＭＩ規格に準拠した形態で外部に出力させることも考えられている。これにより、圧縮符号化された音声ＥＳをデコード処理する機能を備えたオーディオ再生機器等を外付けすることによって、多チャンネルで高音質な音声再生を行なうことが可能となる。
【０００７】
すなわち、光ディスク再生装置のＨＤＭＩ端子に、例えば５．１チャンネル音声再生機能を備えたオーディオ再生機器を接続することにより、光ディスク再生装置からＨＤＭＩ規格に準拠した形態でデジタル出力される圧縮符号化された音声ＥＳを、オーディオ再生機器で受信しデコード処理を施して５．１チャンネル音声再生を行なうといった使用形態が可能となる。
【０００８】
ところで、上記したように、送信側の機器から圧縮符号化された音声ＥＳを出力し、それを外部接続された受信側の機器でデコード処理するような使用形態を実現するには、受信側の機器が、受信した音声ＥＳの音声フォーマット（エンコード方式）を認識し、その音声フォーマットに対応したデコード処理が施せるようにデコーダを制御することが必要である。
【０００９】
この場合、受信側の機器が、受信した音声ＥＳの音声フォーマットを認識するには、送信側の機器が圧縮符号化された音声ＥＳをＨＤＭＩ規格に準拠した形態に変換する際に作成し、音声ＥＳとともに出力する管理情報であるＨＤＭＩ ＡＵＤ−infoframeのAudio Coding typeに記述された情報を、受信側の機器が読み取る手法がある。しかしながら、このＨＤＭＩ ＡＵＤ−infoframeのAudio Coding typeの情報は、不明になっていることも多々あり実用性の低いものとなっている。
【００１０】
特許文献１には、複数の音声方式について再生モードの設定情報を予め記憶しておき、入力音声信号から取得した音声方式に関する情報に基づき、対応する音声方式について記憶された再生モードの設定情報を読み出し、それに基づいて入力音声信号の再生に際しての再生モードを設定することが開示されている。
【特許文献１】特開２００６−０１９９０３号公報
【発明の開示】
【発明が解決しようとする課題】
【００１１】
そこで、この発明は上記事情を考慮してなされたもので、受信した音声ストリームの音声フォーマットを正しく認識して、受信した音声ストリームにその音声フォーマットに対応した形態のデコード処理を施すことができるようにし、十分に実用に適し得るようにした音声再生装置及び音声再生方法を提供することを目的とする。
【課題を解決するための手段】
【００１２】
この発明に係る音声再生装置は、所定の音声フォーマットでエンコード処理が施されたデジタル音声信号とその管理情報とを、特定のデジタル信号伝送規格に準拠した形態で受信する第１の受信手段と、第１の受信手段で受信されたデジタル音声信号にデコード処理を施すもので、複数種類の音声フォーマットに対応したデコード処理形態の中から所定のデコード処理形態に選択設定可能なデコード手段と、第１の受信手段で受信した管理情報に基づいて、当該管理情報とともに受信しているデジタル音声信号の音声フォーマットを示す情報を取得する取得手段と、取得手段で取得した音声フォーマットを示す情報に基づいて、デコード手段に設定されているデコード処理形態が、第１の受信手段で受信しているデジタル音声信号の音声フォーマットに対応しているか否かを判別する判別手段と、判別手段でデコード手段のデコード処理形態が受信しているデジタル音声信号の音声フォーマットに対応していないと判断された場合、取得手段で取得した音声フォーマットを示す情報に基づいて、第１の受信手段で受信しているデジタル音声信号の音声フォーマットに対応したデコード処理形態に、デコード手段を選択設定する制御手段とを備えるようにしたものである。
【００１３】
また、この発明に係る音声再生方法は、所定の音声フォーマットでエンコード処理が施されたデジタル音声信号とその管理情報とを、特定のデジタル信号伝送規格に準拠した形態で受信する第１の工程と、複数種類の音声フォーマットに対応したデコード処理形態の中から所定のデコード処理形態に選択設定可能なデコード手段により、第１の工程で受信されたデジタル音声信号にデコード処理を施す第２の工程と、第１の工程で受信した管理情報に基づいて、当該管理情報とともに受信しているデジタル音声信号の音声フォーマットを示す情報を取得する第３の工程と、第３の工程で取得した音声フォーマットを示す情報に基づいて、デコード手段に設定されているデコード処理形態が、第１の工程で受信したデジタル音声信号の音声フォーマットに対応しているか否かを判別する第４の工程と、第４の工程でデコード手段のデコード処理形態が受信しているデジタル音声信号の音声フォーマットに対応していないと判断された場合、第３の工程で取得した音声フォーマットを示す情報に基づいて、第１の工程で受信したデジタル音声信号の音声フォーマットに対応したデコード処理形態に、デコード手段を選択設定する第５の工程とを備えるようにしたものである。
【発明の効果】
【００１４】
上記した発明によれば、デコード手段のデコード処理形態が受信しているデジタル音声信号の音声フォーマットに対応しているか否かを判別し、対応していないと判断された場合、デジタル音声信号とともに受信した管理情報に含まれる音声フォーマットを示す情報に基づいて、受信しているデジタル音声信号の音声フォーマットに対応したデコード処理形態にデコード手段を制御するようにしたので、受信した音声ストリームの音声フォーマットを正しく認識して、受信した音声ストリームにその音声フォーマットに対応した形態のデコード処理を施すことができる。
【発明を実施するための最良の形態】
【００１５】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１６】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、スピーカ１５、操作部１６、リモートコントローラ１７から送信される操作情報を受ける受光部１８等が設置されている。
【００１７】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１８】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１９】
また、このデジタルテレビジョン放送受信装置１１は、第１のＬＡＮ（local area network）端子２１、第２のＬＡＮ端子２２、ＵＳＢ（universal serial bus）端子２３及びＨＤＭＩ端子２４を備えている。
【００２０】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００２１】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２２】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２３】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２４】
さらに、この第２のＬＡＮ端子２２は、ハブ２６に接続されたブロードバンドルータ３１を介して、例えばインターネット等のネットワーク３２に接続可能であり、そのネットワーク３２を介してＰＣ３３や携帯電話３４等の各種情報端末と情報伝送を行なうために使用される。
【００２５】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２６】
さらに、上記ＨＤＭＩ端子２４は、ＨＤＭＩ規格に準拠した形態でのデジタルデータの送受信を行なう入出力ポートとして使用されるもので、例えばＨＤＭＩ規格に準拠したデータ入出力端子を有するＤＶＤプレーヤ等の光ディスク再生装置４１を接続し、この機器と情報伝送を行なうために使用される。
【００２７】
図２は、上記したデジタルテレビジョン放送受信装置１１の主要な信号処理系を示している。すなわち、ＢＳ／ＣＳデジタル放送受信用のアンテナ４２で受信した衛星デジタル放送信号は、入力端子４３を介して衛星デジタル放送用のチューナ４４に供給されることにより、所望のチャンネルの放送信号が選局される。
【００２８】
そして、このチューナ４４で選局された放送信号は、ＰＳＫ（phase shift keying）復調器４５に供給されてＴＳ（transport stream）が復調される。このＴＳは、ＴＳ復号器４６に供給されてデジタルの映像信号及び音声信号等に復号化された後、信号処理部４７に出力される。
【００２９】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００３０】
そして、このチューナ５０で選局された放送信号は、ＯＦＤＭ（orthogonal frequency division multiplexing）復調器５１に供給されてＴＳが復調される。このＴＳは、ＴＳ復号器５２に供給されてデジタルの映像信号及び音声信号に復号化された後、上記信号処理部４７に出力される。
【００３１】
また、上記地上波放送受信用のアンテナ４８で受信した地上アナログテレビジョン放送信号は、入力端子４９を介して地上アナログ放送用のチューナ５３に供給されることにより、所望のチャンネルの放送信号が選局される。そして、このチューナ５３で選局された放送信号は、アナログ復調器５４に供給されてアナログの映像信号及び音声信号に復調された後、上記信号処理部４７に出力される。
【００３２】
ここで、上記信号処理部４７は、ＴＳ復号器４６，５２からそれぞれ供給されたデジタルの映像信号及び音声信号に対して、選択的に所定のデジタル信号処理を施し、グラフィックス処理部５５及び音声処理部５６に出力している。
【００３３】
また、上記信号処理部４７には、複数（図示の場合は４つ）の入力端子５７ａ，５７ｂ，５７ｃ，５７ｄが接続されている。これら入力端子５７ａ〜５７ｄは、それぞれ、アナログの映像信号及び音声信号を、デジタルテレビジョン放送受信装置１１の外部から入力可能とするものである。
【００３４】
そして、この信号処理部４７は、上記アナログ復調器５４及び各入力端子５７ａ〜５７ｄからそれぞれ供給されたアナログの映像信号及び音声信号を選択的にデジタル化し、そのデジタル化された映像信号及び音声信号に対して所定のデジタル信号処理を施した後、グラフィックス処理部５５及び音声処理部５６に出力している。
【００３５】
このうち、グラフィックス処理部５５は、信号処理部４７から供給されるデジタルの映像信号に、ＯＳＤ（on screen display）信号生成部５８で生成されるＯＳＤ信号を重畳して出力する機能を有する。また、このグラフィックス処理部５５は、信号処理部４７の出力映像信号と、ＯＳＤ信号生成部５８の出力ＯＳＤ信号とを選択的に出力することや、両出力をそれぞれ画面の半分を構成するように組み合わせて出力することができる。
【００３６】
そして、グラフィックス処理部５５から出力されたデジタルの映像信号は、映像処理部５９に供給される。この映像処理部５９は、入力されたデジタルの映像信号を、前記映像表示器１４で表示可能なフォーマットのアナログ映像信号に変換した後、映像表示器１４に出力して映像表示させるとともに、出力端子６０を介して外部に導出させる。
【００３７】
また、上記音声処理部５６は、入力されたデジタルの音声信号を、前記スピーカ１５で再生可能なフォーマットのアナログ音声信号に変換した後、スピーカ１５に出力して音声再生させるとともに、出力端子６１を介して外部に導出させる。
【００３８】
ここで、このデジタルテレビジョン放送受信装置１１は、上記した各種の受信動作を含むその全ての動作を制御部６２によって統括的に制御されている。この制御部６２は、ＣＰＵ（central processing unit）６２ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３９】
この場合、制御部６２は、主として、そのＣＰＵ６２ａが実行する制御プログラムを格納したＲＯＭ（read only memory）６２ｂと、該ＣＰＵ６２ａに作業エリアを提供するＲＡＭ（random access memory）６２ｃと、各種の設定情報及び制御情報等が格納される不揮発性メモリ６２ｄとを利用している。
【００４０】
また、この制御部６２は、カードＩ／Ｆ（interface）６３を介して、前記第１のメモリカード１９が装着可能なカードホルダ６４に接続されている。これによって、制御部６２は、カードホルダ６４に装着された第１のメモリカード１９と、カードＩ／Ｆ６３を介して情報伝送を行なうことができる。
【００４１】
さらに、上記制御部６２は、カードＩ／Ｆ６５を介して、前記第２のメモリカード２０が装着可能なカードホルダ６６に接続されている。これにより、制御部６２は、カードホルダ６６に装着された第２のメモリカード２０と、カードＩ／Ｆ６５を介して情報伝送を行なうことができる。
【００４２】
また、上記制御部６２は、通信Ｉ／Ｆ６７を介して第１のＬＡＮ端子２１に接続されている。これにより、制御部６２は、第１のＬＡＮ端子２１に接続されたＬＡＮ対応のＨＤＤ２５と、通信Ｉ／Ｆ６７を介して情報伝送を行なうことができる。この場合、制御部６２は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４３】
さらに、上記制御部６２は、通信Ｉ／Ｆ６８を介して第２のＬＡＮ端子２２に接続されている。これにより、制御部６２は、第２のＬＡＮ端子２２に接続された各種の機器（図１参照）と、通信Ｉ／Ｆ６８を介して情報伝送を行なうことができる。
【００４４】
また、上記制御部６２は、ＵＳＢ Ｉ／Ｆ６９を介して前記ＵＳＢ端子２３に接続されている。これにより、制御部６２は、ＵＳＢ端子２３に接続された各種の機器（図１参照）と、ＵＳＢ Ｉ／Ｆ６９を介して情報伝送を行なうことができる。
【００４５】
さらに、上記制御部６２は、ＨＤＭＩ Ｉ／Ｆ７０を介してＨＤＭＩ端子２４に接続されている。これにより、制御部６２は、ＨＤＭＩ端子２４に接続された機器（図１参照）と、ＨＤＭＩ Ｉ／Ｆ７０を介して情報伝送を行なうことができる。
【００４６】
この場合、上記制御部６２は、ＨＤＭＩ Ｉ／Ｆ７０を介してＨＤＭＩ端子２４に接続された機器（光ディスク再生装置４１）に制御情報を送信することにより、その機器を所定の動作状態または停止状態に制御したり、その機器から内部情報を取得したりすることができる。
【００４７】
また、上記制御部６２は、映像デコーダ部６３ｅ、音声デコーダ部６３ｆ及びデコーダ制御部６３ｇを備えている。このうち、映像デコーダ部６３ｅは、ＨＤＭＩ端子２４に接続された光ディスク再生装置４１から得られる、ＭＰＥＧ（moving picture experts group）２規格に準拠した形態でエンコード処理が施された映像ストリームにデコード処理を施している。
【００４８】
そして、この映像デコーダ部６３ｅでデコード処理が施されたデジタルの映像信号は、上記信号処理部４７に供給されて所定のデジタル信号処理が施された後、先に述べたように、グラフィックス処理部５５及び映像処理部５９を介して、映像表示器１４で映像表示されるとともに、出力端子６０を介して外部に導出される。
【００４９】
さらに、上記音声デコーダ部６３ｆは、ＨＤＭＩ端子２４に接続された光ディスク再生装置４１から得られる、所定の方式のエンコード処理が施された音声ＥＳに、その音声フォーマットに対応したデコード処理を施す機能を有している。そして、この音声デコーダ部６３ｆでデコード処理が施されたデジタルの音声信号は、上記信号処理部４７に供給されて所定のデジタル信号処理が施された後、先に述べたように、音声処理部５６を介してスピーカ１５で音声再生されるとともに、出力端子６１を介して外部に導出される。
【００５０】
また、上記デコーダ制御部６３ｇは、詳細は後述するが、ＨＤＭＩ端子２４に接続された光ディスク再生装置４１から、エンコード処理が施された音声ＥＳとともに得られる管理情報を解析し、その管理情報に含まれる音声フォーマットを示す情報を取得している。そして、デコーダ制御部６３ｇは、取得した音声フォーマットを示す情報に基づいて、その音声フォーマットに対応した形態でのデコード処理を行なわせるように、上記音声デコーダ部６３ｆを制御している。
【００５１】
さらに、このデジタルテレビジョン放送受信装置１１には、音声ＰＣＭ（pulse code modulation）入力端子７１が設置されている。この音声ＰＣＭ入力端子７１には、音声信号がＰＣＭ（非圧縮）の形態で入力される。例えば、上記光ディスク再生装置４１が、音声信号をＰＣＭの形態で出力する端子を備えていた場合、その端子から出力される音声信号を音声ＰＣＭ入力端子７１に入力させることができる。
【００５２】
ＰＣＭの形態で入力された音声信号は、デコード処理を施す必要がないので、音声デコーダ部６３ｆに供給されることなく、そのまま上記信号処理部４７に供給されて所定のデジタル信号処理が施された後、先に述べたように、音声処理部５６を介してスピーカ１５で音声再生されるとともに、出力端子６１を介して外部に導出される。
【００５３】
ここで、ＤＶＤ等の光ディスクに記録される情報は、光デジタル記録・通信に関する規格を推進するＩＥＣ（international electrotechnical commission）６１９３７で、バーストデータとして規定されている。このバーストデータは、図３に示すように、Ｐａ（sync word１），Ｐｂ（sync word２），Ｐｃ（burst−info.），Ｐｄ（length−code）よりなるプリアンブルデータと、エンコード処理が施された音声ＥＳと、Ｐｚデータとから構成されている。
【００５４】
このうち、プリアンブルデータＰａ〜Ｐｄが、エンコード処理が施された音声ＥＳに対する管理情報となっており、この中のＰｃ（bit［0〜4］）に、図４に示すように、エンコード処理が施された音声ＥＳの音声フォーマットを示すためのデータタイプが記述されている。
【００５５】
そして、上記デコーダ制御部６３ｇは、光ディスク再生装置４１から取得したバーストデータのうちのプリアンブルデータＰｃの内容に基づいて、音声ＥＳの音声フォーマットを認識し、その音声フォーマットに対応した形態のデコード処理を行なうように音声デコーダ部６３ｆを制御している。
【００５６】
図５は、上記デコーダ制御部６３ｇが音声ＥＳの管理情報であるプリアンブルデータに基づいて音声フォーマットを認識し、音声デコーダ部６３ｆを制御する一連の処理動作の一例をまとめたフローチャートを示している。すなわち、処理が開始（ステップＳ５ａ）され、ステップＳ５ｂで、ＨＤＭＩ端子２４にエンコード処理が施された音声ＥＳが入力されると、音声デコーダ部６３ｆは、ステップＳ５ｃで、入力された音声ＥＳのデコード処理を開始する。
【００５７】
この場合、音声デコーダ部６３ｆは、初期状態として、ＤＶＤにおける一般的な音声フォーマットであるＡＣ−３（audio code number３）に対応した形態でのデコード処理を行なわせるように、予め設定されている。このため、ＨＤＭＩ端子２４に供給された音声ＥＳは、まずＡＣ−３に対応した形態でのデコード処理が施されることになる。
【００５８】
そして、音声デコーダ部６３ｆは、ステップＳ５ｄで、現在のデコード処理形態（ＡＣ−３対応）と、ＨＤＭＩ端子２４に供給されたプリアンブルデータＰｃから取得した現在入力されている音声ＥＳの音声フォーマットとを比較し、ステップＳ５ｅで、両者が対応しているか否か、つまり、ＨＤＭＩ端子２４に供給された音声ＥＳに対してデコード処理が正しく実行されているか否かを判別する。なお、プリアンブルデータＰａ〜Ｐｄはエンコード処理されていないので、デコード処理することなく、その内容を判別することが可能である。
【００５９】
このとき、対応していると判断された場合（ＹＥＳ）、音声デコーダ部６３ｆは、対応している旨の情報をデコーダ制御部６３ｇに出力するので、デコーダ制御部６３ｇは、ステップＳ５ｆで、音声デコーダ部６３ｆに対して、そのデコード処理形態を初期状態（ＡＣ−３対応）のまま継続させて音声ＥＳにデコード処理を施すように制御し、処理を終了（ステップＳ５ｌ）する。
【００６０】
また、上記ステップＳ５ｅで、音声デコーダ部６３ｆの現在のデコード処理形態が音声ＥＳの音声フォーマットに対応していないと判断された場合（ＮＯ）、音声デコーダ部６３ｆは、ステップＳ５ｇで、対応していない旨の情報をデコーダ制御部６３ｇに出力する。すると、デコーダ制御部６３ｇは、ステップＳ５ｈで、ＨＤＭＩ端子２４に供給されたプリアンブルデータＰｃの内容から、現在入力されている音声ＥＳの音声フォーマットを取得する。
【００６１】
その後、デコーダ制御部６３ｇは、ステップＳ５ｉで、プリアンブルデータＰｃに記述されている音声フォーマットが、音声デコーダ部６３ｆでデコード処理可能な形態、つまり、音声デコーダ部６３ｆのサポート対象となっているか否かを判別する。
【００６２】
そして、音声フォーマットが音声デコーダ部６３ｆのサポート対象となっていない［例えばＤＴＳ（digital theater system）］と判断された場合（ＮＯ）、デコーダ制御部６３ｇは、ステップＳ５ｊで、音声デコーダ部６３ｆではデコード処理できないと判断し、上記音声処理部５６に音声ミュート処理を行なうように制御して、処理を終了（ステップＳ５ｌ）する。
【００６３】
また、上記ステップＳ５ｉで、現在入力されている音声ＥＳの音声フォーマット［例えばＡＡＣ（advance audio coding）］が、音声デコーダ部６３ｆのサポート対象となっていると判断された場合（ＹＥＳ）、デコーダ制御部６３ｇは、ステップＳ５ｋで、音声デコーダ部６３ｆに対して、そのデコード処理形態を現在入力されている音声ＥＳの音声フォーマット（ＡＡＣ）に対応させるように制御し、処理を終了（ステップＳ５ｌ）する。
【００６４】
上記した実施の形態によれば、光ディスクに記録され光ディスク再生装置４１から出力されるバーストデータ内のプリアンブルデータＰｃに基づいて、入力された音声ＥＳの音声フォーマットを判別するようにしたので、ＨＤＭＩ規格に準拠するＨＤＭＩ ＡＵＤ−infoframeのAudio Coding typeのように情報が不明であっても、受信した音声ＥＳの音声フォーマットを正しく認識して、受信した音声ＥＳにその音声フォーマットに対応した形態のデコード処理を施すことができ、十分に実用に適するものとなる。
【００６５】
なお、音声デコーダ部６３ｆに初期状態として設定されるデコード処理形態は、ユーザによって変更可能とすることができる。これにより、例えばＤＶＤプレーヤを頻繁に使用するユーザの場合、ＤＶＤにおける一般的な音声フォーマットであるＡＣ−３に対応したデコード処理形態に設定し、ＨＤ−ＤＶＤプレーヤを頻繁に使用するユーザの場合、ＨＤ−ＤＶＤの場合はＴＳ（transport stream）記録も可能なため、ＡＡＣに対応したデコード処理形態に設定する等、使用する音声出力側の機器に応じてユーザが予めデコード処理形態を設定しておくことができ、このような点でも実用に適するものとなる。
【００６６】
音声デコーダ部６３ｆにおける初期状態のデコード処理形態の設定は、例えば、ユーザが、リモートコントローラ１７のメニューキー（図示せず）を操作して、階層構造となされたメニュー画面に分け入ることによりデコード処理形態変更画面に到達し、その画面上で「ＡＣ−３」または「ＡＡＣ」を選択設定することにより可能となる。
【００６７】
図６は、音声デコーダ部６３ｆが、受信した音声ＥＳに対してその音声フォーマットに対応した形態でデコード処理を施している状態で、他の音声フォーマットの音声ＥＳの受信に切り替えられた場合の処理動作の一例をまとめたフローチャートを示している。
【００６８】
すなわち、処理が開始（ステップＳ６ａ）され、ステップＳ６ｂで、音声デコーダ部６３ｆが、現在入力されている音声ＥＳの音声フォーマット（例えばＡＣ−３）に対応したデコード処理形態に制御されることによって、ステップＳ６ｃで、音声デコーダ部６３ｆが、現在受信している音声ＥＳにその音声フォーマットに対応した形態でのデコード処理を施しているとする。
【００６９】
このようなデコード処理中の状態で、音声デコーダ部６３ｆは、ステップＳ６ｄで、現在のデコード処理形態（ＡＣ−３対応）と、ＨＤＭＩ端子２４に供給されたプリアンブルデータＰｃから取得した現在入力されている音声ＥＳの音声フォーマットとを比較し、ステップＳ６ｅで、両者が対応しているか否か、つまり、ＨＤＭＩ端子２４に供給された音声ＥＳに対してデコード処理が正しく実行されているか否かを判別する。
【００７０】
このとき、対応していると判断された場合（ＹＥＳ）、音声デコーダ部６３ｆは、対応している旨の情報をデコーダ制御部６３ｇに出力するので、デコーダ制御部６３ｇは、ステップＳ６ｆで、音声デコーダ部６３ｆに対して、そのデコード処理形態を初期状態（ＡＣ−３対応）のまま継続させて音声ＥＳにデコード処理を施すように制御し、処理を終了（ステップＳ６ｌ）する。
【００７１】
また、上記ステップＳ６ｅで、音声デコーダ部６３ｆの現在のデコード処理形態が音声ＥＳの音声フォーマットに対応していないと判断された場合（ＮＯ）、音声デコーダ部６３ｆは、ステップＳ６ｇで、対応していない旨の情報をデコーダ制御部６３ｇに出力する。すると、デコーダ制御部６３ｇは、ステップＳ６ｈで、ＨＤＭＩ端子２４に供給されたプリアンブルデータＰｃの内容から、現在入力されている音声ＥＳの音声フォーマットを取得する。
【００７２】
その後、デコーダ制御部６３ｇは、ステップＳ６ｉで、プリアンブルデータＰｃに記述されている音声フォーマットが、音声デコーダ部６３ｆでデコード処理可能な形態、つまり、音声デコーダ部６３ｆのサポート対象となっているか否かを判別する。
【００７３】
そして、音声フォーマットが音声デコーダ部６３ｆのサポート対象となっていない（例えばＤＴＳ）と判断された場合（ＮＯ）、デコーダ制御部６３ｇは、ステップＳ６ｊで、音声デコーダ部６３ｆではデコード処理できないと判断し、上記音声処理部５６に音声ミュート処理を行なうように制御して、処理を終了（ステップＳ６ｌ）する。
【００７４】
また、上記ステップＳ６ｉで、現在入力されている音声ＥＳの音声フォーマット（例えばＡＡＣ）が、音声デコーダ部６３ｆのサポート対象となっていると判断された場合（ＹＥＳ）、デコーダ制御部６３ｇは、ステップＳ６ｋで、音声デコーダ部６３ｆに対して、そのデコード処理形態を現在入力されている音声ＥＳの音声フォーマット（ＡＡＣ）に対応させるように制御し、処理を終了（ステップＳ６ｌ）する。
【００７５】
図６に示した実施の形態によれば、音声デコーダ部６３ｆが受信している音声ＥＳに対して安定にデコード処理を施している状態で、他の音声フォーマットの音声ＥＳの受信に切り替えられた場合でも、その切り替えられた音声ＥＳの音声フォーマットを正しく認識して、受信した音声ＥＳにその音声フォーマットに対応した形態のデコード処理を施すことができ、十分に実用に適するものとなる。
【００７６】
図７は、ＨＤＭＩ端子２４に入力されている音声ＥＳの音声フォーマットが、音声デコーダ部６３ｆのサポート対象となっていないとき、音声ミュートするのではなく、音声ＰＣＭ入力端子７１に入力された音声信号を音声再生（音声出力）させるようにした処理動作の一例をまとめたフローチャートを示している。
【００７７】
この処理動作は、音声入力モードを「ＡＵＴＯ」、「ＨＤＭＩ」及び「ＰＣＭ」に切り替え可能としておき、「ＡＵＴＯ」モードに設定されている場合に有効となる。音声入力モードの切り替えは、例えば、ユーザが、リモートコントローラ１７のメニューキー（図示せず）を操作して、階層構造となされたメニュー画面に分け入ることにより音声入力モード変更画面に到達し、その画面上で「ＡＵＴＯ」、「ＨＤＭＩ」及び「ＰＣＭ」のいずれかを選択設定することにより可能となる。
【００７８】
なお、この音声入力モードが「ＨＤＭＩ」に選択設定されている場合は、ＨＤＭＩ端子２４に入力された音声ＥＳに対してのみデコード処理を施して音声再生（音声出力）させるように制御される。このため、当然、ＨＤＭＩ端子２４に入力されている音声ＥＳの音声フォーマットが、音声デコーダ部６３ｆのサポート対象となっていないときには、音声ミュートされる。また、この音声入力モードが「ＰＣＭ」に選択設定されている場合は、音声ＰＣＭ入力端子７１に入力された音声信号に対してのみ音声再生（音声出力）させるように制御される。
【００７９】
すなわち、処理が開始（ステップＳ７ａ）され、ステップＳ７ｂで、音声デコーダ部６３ｆが初期状態としてＡＣ−３に対応したデコード処理形態に制御されるとともに、音声入力モードが「ＡＵＴＯ」に設定されている状態で、ステップＳ７ｃで、ＨＤＭＩ端子２４にエンコード処理が施された音声ＥＳが入力されたとする。
【００８０】
すると、音声デコーダ部６３ｆは、ステップＳ７ｄで、現在のデコード処理形態（ＡＣ−３対応）と、ＨＤＭＩ端子２４に供給されたプリアンブルデータＰｃから取得した現在入力されている音声ＥＳの音声フォーマットとを比較し、ステップＳ７ｅで、両者が対応しているか否か、つまり、ＨＤＭＩ端子２４に供給された音声ＥＳに対してデコード処理が正しく実行されているか否かを判別する。
【００８１】
このとき、対応していると判断された場合（ＹＥＳ）、音声デコーダ部６３ｆは、対応している旨の情報をデコーダ制御部６３ｇに出力するので、デコーダ制御部６３ｇは、ステップＳ７ｆで、音声デコーダ部６３ｆに対して、そのデコード処理形態を初期状態（ＡＣ−３対応）のまま継続させて音声ＥＳにデコード処理を施すように制御し、処理を終了（ステップＳ７ｌ）する。
【００８２】
また、上記ステップＳ７ｅで、音声デコーダ部６３ｆの現在のデコード処理形態が音声ＥＳの音声フォーマットに対応していないと判断された場合（ＮＯ）、音声デコーダ部６３ｆは、ステップＳ７ｇで、対応していない旨の情報をデコーダ制御部６３ｇに出力する。すると、デコーダ制御部６３ｇは、ステップＳ７ｈで、ＨＤＭＩ端子２４に供給されたプリアンブルデータＰｃの内容から、現在入力されている音声ＥＳの音声フォーマットを取得する。
【００８３】
その後、デコーダ制御部６３ｇは、ステップＳ７ｉで、プリアンブルデータＰｃに記述されている音声フォーマットが、音声デコーダ部６３ｆでデコード処理可能な形態、つまり、音声デコーダ部６３ｆのサポート対象となっているか否かを判別する。
【００８４】
そして、音声フォーマットが音声デコーダ部６３ｆのサポート対象となっていない（例えばＤＴＳ）と判断された場合（ＮＯ）、デコーダ制御部６３ｇは、ステップＳ７ｊで、音声ＰＣＭ入力端子７１に入力された音声信号を音声再生（音声出力）させるように制御して、処理を終了（ステップＳ７ｌ）する。
【００８５】
また、上記ステップＳ７ｉで、現在入力されている音声ＥＳの音声フォーマット（例えばＡＡＣ）が、音声デコーダ部６３ｆのサポート対象となっていると判断された場合（ＹＥＳ）、デコーダ制御部６３ｇは、ステップＳ７ｋで、音声デコーダ部６３ｆに対して、そのデコード処理形態を現在入力されている音声ＥＳの音声フォーマット（ＡＡＣ）に対応させるように制御し、処理を終了（ステップＳ７ｌ）する。
【００８６】
図７に示した実施の形態によれば、受信した音声ＥＳの音声フォーマットが音声デコーダ部６３ｆのサポート対象外であるとき、音声ＰＣＭ入力端子７１に入力された音声信号を音声再生（音声出力）させるようにしている。このため、例えば、光ディスク再生装置４１のＰＣＭ出力音声信号を音声ＰＣＭ入力端子７１に入力させるようにしておけば、ＨＤＭＩ端子２４に供給された音声ＥＳをデコード処理することができない場合、自動的にＰＣＭ音声を再生することができるので、十分に実用に適するものとなる。
【００８７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８８】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】光デジタル記録・通信に関するＩＥＣ６１９３７規格で規定されたバーストデータを説明するために示す図。
【図４】同バーストデータの中に含まれるプリアンブルデータＰｃの内容を説明するために示す図。
【図５】同実施の形態におけるデジタルテレビジョン放送受信装置で実行される主要な処理動作の一例を説明するために示すフローチャート。
【図６】同実施の形態におけるデジタルテレビジョン放送受信装置で実行される主要な処理動作の他の例を説明するために示すフローチャート。
【図７】同実施の形態におけるデジタルテレビジョン放送受信装置で実行される主要な処理動作のさらに他の例を説明するために示すフローチャート。
【符号の説明】
【００８９】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＨＤＭＩ端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…光ディスク再生装置、４２…アンテナ、４３…入力端子、４４…チューナ、４５…ＰＳＫ復調器、４６…ＴＳ復号器、４７…信号処理部、４８…アンテナ、４９…入力端子、５０…チューナ、５１…ＯＦＤＭ復調器、５２…ＴＳ復号器、５３…チューナ、５４…アナログ復調器、５５…グラフィック処理部、５６…音声処理部、５７ａ〜５７ｄ…入力端子、５８…ＯＳＤ信号生成部、５９…映像処理部、６０…出力端子、６１…出力端子、６２…制御部、６２ａ…ＣＰＵ、６２ｂ…ＲＯＭ、６２ｃ…ＲＡＭ、６２ｄ…不揮発性メモリ、６２ｅ…映像デコーダ部、６２ｆ…音声デコーダ部、６２ｇ…デコーダ制御部、６３…カードＩ／Ｆ、６４…カードホルダ、６５…カードＩ／Ｆ、６６…カードホルダ、６７…通信Ｉ／Ｆ、６８…通信Ｉ／Ｆ、６９…ＵＳＢ Ｉ／Ｆ、７０…ＨＤＭＩ Ｉ／Ｆ、７１…音声ＰＣＭ入力端子。
【図１】
2009063752.tif 000003
【図２】
2009063752.tif 000004
【図３】
2009063752.tif 000005
【図４】
2009063752.tif 000006
【図５】
2009063752.tif 000007
【図６】
2009063752.tif 000008
【図７】
2009063752.tif 000009